(57)【特許請求の範囲】
【請求項１】
ＬＥＤを光源とする灯体と、
前記灯体に電源を供給する給電線と、
前記灯体にＬＥＤを駆動する制御信号を供給する駆動制御線とを備え、
前記給電線若しくは少なくとも一の駆動制御線は、引張強度３００Ｎ／ｍｍ２以上の導通線を芯線とし、前記給電線の芯線の外周に前記導通線よりも半田と親和性が高いメッキ層が形成されると共に、前記駆動制御線は、絶縁保護膜に被覆され、前記給電線と前記駆動制御線とが隣接して構成され、
前記メッキ層が前記灯体に半田付けされることにより、
前記給電線若しくは前記駆動制御線で前記灯体を吊り下げることを特徴とする吊下式照明具。
【請求項２】
前記メッキ層が前記駆動制御線の芯線の外周に形成され、
前記灯体が、前記給電線及び前記駆動制御線で吊り下げられることを特徴とする請求項１記載の吊下式照明具。
【請求項３】
透光性樹脂と、
前記透光性樹脂内に分散して埋設される拡散片とで拡散体を構成し、
前記拡散体で前記灯体の周囲を略被覆することを特徴とする請求項１又は２記載の吊下式照明具。
【請求項４】
前記給電線若しくは前記一の駆動制御線の芯線を０．６〜０．９５重量％の炭素を含有する硬鋼線、ベリリウム銅線若しくはリン青銅線とし、
前記給電線若しくは前記一の駆動制御線以外の電線を銅線とすると共に、
前記拡散体で前記灯体の周囲を略球形に被覆することを特徴とする請求項３記載の吊下式照明具。
【請求項５】
前記芯線と前記メッキ層で構成される電線の直径を５００μｍ以下、その他の電線の直径を５００μｍ以下とすると共に、
前記駆動制御線に制御信号を供給する駆動制御回路に定電流回路を設けることを特徴とする請求項１〜４の何れかに記載の吊下式照明具。
【請求項６】
吊下式照明具を吊り下げるための導線であって、
電源を供給する給電線と、
制御信号を供給する一若しくは複数の制御線とで構成され、
少なくとも、前記給電線若しくは前記一の制御線は、引張強度３００Ｎ／ｍｍ２以上の導通線を芯線とし、前記給電線の芯線の外周に前記導通線よりも半田と親和性が高いメッキ層が形成されると共に、前記制御線が、絶縁保護膜に被覆され、前記給電線と前記制御線とが隣接するように構成することを特徴とする吊下式照明具用導線。
【発明の詳細な説明】
【技術分野】
【０００１】
本発明は、ＬＥＤ（発光ダイオード）を光源とする吊下式照明具、前記吊下式照明器具に適する導線及び拡散体に関する。
【背景技術】
【０００２】
ＬＥＤ（発光ダイオード）を光源とする吊下式照明具として特許文献１の吊下式照明具がある。特許文献１の吊下式照明具は、光源であるＬＥＤと、ＬＥＤの周囲全体を被っているプラスチック樹脂のＬＥＤ容器と、ＬＥＤの上側に設けられる光量制御回路及びバッテリー回路とを備え、前記光量制御回路及びバッテリー回路から下方に延びる導線（リード線）で前記ＬＥＤを吊り下げるものである。
【０００３】
【特許文献１】特開平６−７７５３９号公報
【発明の開示】
【発明が解決しようとする課題】
【０００４】
ところで、特許文献１は導線の構造は開示していないため、上記吊下式照明具に於いて如何なる構造の導線を用いるべきかが明らかでない。そのため、ＬＥＤを光源とする吊下式照明具を構成する場合に用いる、適切な構造の導線が求められている。
【０００５】
本発明は上記課題に鑑み提案するものであって、適切な構造の導線を有するＬＥＤを光源とする吊下式照明具を提供することを目的とする。また、本発明の他の目的は、例えば本発明の吊下式照明具に適する導線及び拡散体を提供することにある。
【課題を解決するための手段】
【０００６】
本発明の吊下式照明具は、ＬＥＤを光源とする灯体と、前記灯体に電源を供給する給電線と、前記灯体にＬＥＤを駆動する制御信号を供給する駆動制御線とを備え、前記給電線若しくは少なくとも一の駆動制御線を、引張強度３００Ｎ／ｍｍ2以上の導通線を芯線とし、前記芯線の外周に前記導通線よりも半田と親和性が高いメッキ層を形成して構成し、前記メッキ層を前記灯体に半田付けし、前記給電線若しくは前記一の駆動制御線で前記灯体を吊り下げることを特徴とする。例えばピアノ線を芯線とし、前記芯線の外周にピアノ線よりも半田と親和性が高いメッキ層を形成して給電線を構成する。
【０００７】
尚、前記芯線の引張強度は、より好適には８００Ｎ／ｍｍ2以上とすることが好ましい。また、前記芯線の直径の下限は、引張強度が灯体重量の吊下に耐えられる太さとし、１０μｍ以上、より好ましくは５０μｍ以上とするとよい。また、前記芯線の直径の上限は、給電線と駆動制御線で構成される導線の全体外形の目視が難しい程度とすると好適であり、１ｍｍ以下、より好ましくは０．１ｍｍ以下とするとよい。また、前記メッキ層の厚さは、０．１μｍ〜１０μｍ、より好ましくは１μｍ〜５μｍとするとよい。また、例えば給電線と駆動制御線を並設する或いは給電線と駆動制御線の一方を他方に撚って設ける電線の直径は、給電線と駆動制御線で構成される導線の全体外形の目視が難しい程度とすると好適であり、１ｍｍ以下、より好ましくは０．１ｍｍ以下とするとよい。また、給電線と駆動制御線で構成される導線の最大径は、その目視が難しい程度とすると好適であり、２ｍｍ以下、より好ましくは０．２ｍｍ以下とするとよい。また、給電線と駆動制御線で構成される導線は、全体として略直線状に延びるものの他、例えば全体として略螺旋状になって延びるものとすることも可能である。
【０００８】
また、本発明の吊下式照明具は、透光性樹脂と、前記透光性樹脂内に分散して埋設される拡散片とで拡散体を構成し、前記拡散体で前記灯体の周囲を略被覆することを特徴とする。前記拡散片には、光拡散機能を有する適宜の形状及び素材のものを用いることが可能であるが、例えばガラスビーズとすると好適である。また、拡散片の形状は球形とすることが好ましく、その直径は灯体寸法の５分の１以下とすることが好ましい。また、拡散片の分散度はできるだけ均一とすることが好ましい。
【０００９】
また、本発明の吊下式照明具は、前記給電線若しくは前記一の駆動制御線の芯線を０．６〜０．９５重量％の炭素を含有する硬鋼線、ベリリウム銅線若しくはリン青銅線とし、前記給電線若しくは前記一の駆動制御線のメッキ層を銅メッキ若しくは半田メッキとし、前記給電線若しくは前記一の駆動制御線以外の電線を銅線とすると共に、前記拡散体で前記灯体の周囲を略球形に被覆することを特徴とする。
尚、本発明に於ける芯線は、０．６〜０．９５重量％の炭素を含有する硬鋼線、ベリリウム銅線若しくはリン青銅線の他に、例えば黄銅、ステンレス等とすることも可能である。また、本発明に於けるメッキ層は、前記芯線の導通線よりも半田と親和性或いは濡れ性が高いメッキ層であれば適宜であり、銅メッキ、半田メッキ以外に例えばスズメッキ、銀メッキ、金メッキ等とすることが可能である。また、前記給電線若しくは前記一の駆動制御線以外の電線或いはその芯線は、前記メッキ層と同等以上の半田との親和性或いは濡れ性を有する素材とすると好適であり、前記銅線以外にも例えば電気配線用銅合金等とすることが可能である。また、拡散体は灯体の周囲を略球形に被覆する他に、例えば円柱形、多面体、若しくは凹凸を持たせた形状等で被覆することも可能である。
【００１０】
また、本発明の吊下式照明具は、前記芯線と前記メッキ層で構成される電線の直径を５００μｍ以下、その他の電線の直径を５００μｍ以下とすると共に、前記駆動制御線に制御信号を供給する駆動制御回路に定電流回路を設けることを特徴する。さらに、本発明の吊下式照明具は、前記給電線を中心にし、前記一の駆動制御線が前記給電性の周囲に撚って設けられることを特徴とする。
【００１１】
また、本発明の導線は、電源を供給する給電線と、制御信号を供給する一若しくは複数の制御線とで構成され、少なくとも、前記給電線若しくは前記一の制御線を、引張強度３００Ｎ／ｍｍ2以上の導通線を芯線とし、前記芯線の外周に前記導通線よりも半田と親和性が高いメッキ層を形成して構成することを特徴とする。前記導線は適宜の用途に用いることが可能であり、前記電源、前記制御信号が供給される対象は灯体以外にも適宜である。また、前記給電線と前記制御線の構成には、上記吊下式照明具の給電線や駆動制御線と同様の構成を適宜採用することができる。
【００１２】
また、本発明の拡散体は、光源の発光部の周囲を略被覆する拡散体であって、透光性樹脂と、前記透光性樹脂内に分散して埋設される拡散片とで構成されることを特徴とする。前記拡散体の構成には、上記吊下照明具の拡散体と同様の構成を適宜採用することができる。
【００１３】
尚、本明細書開示の発明には、各発明や各実施形態の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれる。
【発明の効果】
【００１４】
本発明の吊下式照明具或いは導線は、給電線若しくは少なくとも一の駆動制御線を、引張強度３００Ｎ／ｍｍ2以上の導通線を芯線とすることにより、灯体等を高い強度で安定して吊り下げることができる。また、前記芯線の外周に前記導通線よりも半田と親和性が高いメッキ層を形成することにより、前記給電線若しくは前記駆動制御線と灯体等との半田付けを容易に且つ確実に行うことができる。従って、吊下式照明具等を適切な構造の導線を有するものとすることができる。
【００１５】
また、透光性樹脂と、前記透光性樹脂内に分散して埋設される拡散片とで拡散体を構成し、前記拡散体で前記灯体の周囲を略被覆することにより、拡散光が周囲に放射される光体のような器具を構成することができる。
【００１６】
また、給電線若しくは前記一の駆動制御線の芯線を０．６〜０．９５重量％の炭素を含有する硬鋼線、ベリリウム銅線若しくはリン青銅線とし、給電線若しくは前記一の駆動制御線のメッキ層を銅メッキ若しくは半田メッキとし、給電線若しくは前記一の駆動制御線以外の電線を銅線とすることにより、給電線等の電線と灯体等との半田付けを全体として非常に容易に且つ確実に行うことができると共に、低コストで導線を構成することができる。また、拡散体で灯体の周囲を略球形に被覆することにより、拡散光を放射する光球の照明具とすることができる。
【００１７】
また、芯線とメッキ層で構成される電線の直径を５００μｍ以下、その他の電線の直径を５００μｍ以下として細い導線とすることにより、灯体等或いは光球が宙に浮いているように見える照明具とすることができる。また、細い電線の構成に於いて、駆動制御線に制御信号を供給する駆動制御回路に定電流回路を設けることにより、ＬＥＤの特性のバラツキに対応して電流を一定量に制限することができることに加え、細い電線の高い配線抵抗に対して適切な電流を供給することができる。
【発明を実施するための最良の形態】
【００１８】
本発明について吊下式照明具の実施形態に基づき説明する。
【００１９】
本実施形態の吊下式照明具は、図１及び図２に示すように、天井等に取り付けられる箱状の基体１と、ＬＥＤ３３ｒ、３３ｇ、３３ｂを光源として収容しているＬＥＤ灯体３と、基体１から下方に延びてＬＥＤ灯体３に固着され、ＬＥＤ灯体３を吊り下げている導線２と、ＬＥＤ灯体３のＬＥＤ３３ｒ、３３ｇ、３３ｂの放射光を拡散する拡散体４を備える。
【００２０】
基体１内には、図２に示すように、電源回路１３と駆動制御回路が内装され、前記駆動制御回路は、ＬＥＤ３３ｒ、３３ｇ、３３ｂに流れる電流を一定量に制限するたと共に抵抗が高い細い電線に対応して適切な電流を供給するための定電流回路１１ｒ、１１ｇ、１１ｂと、スイッチ１２ｒ、１２ｇ、１２ｂにより構成されている。定電流回路１１ｒ及びスイッチ１２ｒは赤のＬＥＤ３３ｒ、定電流回路１１ｇ及びスイッチ１２ｇは緑のＬＥＤ３３ｇ、定電流回路１１ｂ及びスイッチ１２ｂは青のＬＥＤ３３ｂにそれぞれ対応する。
【００２１】
導線２は、電源回路１３の電源をＬＥＤ灯体２のＬＥＤ３３ｒ、３３ｇ、３３ｂに供給する給電線２と、ＬＥＤ３３ｒ、３３ｇ、３３ｂを駆動する、スイッチ１２ｒ、１２ｇ、１２ｂによる駆動制御信号をＬＥＤ３３ｒ、３３ｇ、３３ｂに供給する駆動制御線２２、２３、２４とで構成され、図２の二点鎖線部分が導線２に相当する。駆動制御線２２、２３、２４は、ＬＥＤ３３ｒ、３３ｇ、３３ｂにそれぞれ対応する。尚、スイッチは、入力端子でＯＮ・ＯＦＦ制御するトランジスタスイッチにしてもよい。
【００２２】
導線２は、図１及び図３に示すように、中心に給電線２１が鉛直方向に延び、給電線２１の周囲に駆動制御線２２、２３、２４を撚って設けている構成である。給電線２１は、引張強度８００Ｎ／ｍｍ2以上で、０．６〜０．９５重量％の炭素を含有する硬鋼線であるピアノ線２１１を芯線とし、ピアノ線２１１の外周にピアノ線２１１よりも半田と親和性が高い銅メッキ層２１２を被覆するように形成して構成されている。また、駆動制御線２２、２３、２４は、銅線２２１、２３１、２４１を芯線とし、銅線２２１、２３１、２４１の各々にウレタン樹脂の絶縁保護膜２２２、２３２、２４２が被覆されている。更に、給電線２１、駆動制御線２２、２３、２４は、その全体をウレタン樹脂の絶縁保護膜２５で被覆されている。本例の給電線２１の直径は銅メッキ層２１２を含めて３５μｍであり、又、駆動制御線２２、２３、２４の直径は２５μｍである。
【００２３】
ＬＥＤ灯体３は、図１に示すように、下側に発光部３１が設けられ、発光部３１からＬＥＤ３３ｒ、３３ｇ、３３ｂの照射光を照射するようになっていると共に、その上側には半田付け部３２が４箇所設けられている。１箇所の半田付け部３２では、給電線２１の先端が銅メッキ層２１２を介在してＬＥＤ灯体３の接続部に半田付けされており、残りの３箇所の半田付け部３２では、駆動制御線２２、２３、２４の先端を絶縁保護膜２２２、２３２、２４２から露出して、銅線２２１、２３１、２４１がＬＥＤ灯体３の接続部に半田付けされている。
【００２４】
拡散体４は、略球形の透光性樹脂４１と、透光性樹脂４１内に略均一で分散して埋設されるガラスビーズ４２とで構成され、ガラスビーズ４２は拡散片に相当する。ガラスビーズの形状は略球形で、本例での径は約１０μｍである。ガラスビーズ４２は、透光性樹脂４１内に製造時に攪拌混合されることで分散して配置されている。拡散体４は、ＬＥＤ灯体３の周囲を略球形に被覆するように設けられている。
【００２５】
上記吊下式照明具を用いる場合には、基体１を天井等に固着し、ＬＥＤ灯体３を導線２或いは給電線２１で吊り下げて配置する。そして、基体１の図に省略した外部スイッチからスイッチ１２ｒ、１２ｇ、１２ｂを入力すると、ＬＥＤ３３ｒ、３３ｇ、３３ｂが点灯し、その照射光が拡散体４を介して外部に放射される。
【００２６】
上記実施形態の吊下式照明具は、給電線２１で引張強度が高く且つ細いピアノ線２１１を芯線とすることにより、ＬＥＤ灯体２を高い強度で安定して吊り下げることができ、又、ＬＥＤ灯体２が宙に浮いているように見える照明具とすることができる。また、給電線２１のピアノ線２１１の外周にピアノ線２１１よりも半田と親和性が高い銅メッキ層２１２を形成し、駆動制御線２２、２３、２４を銅線２２１、２３１、２４１で構成することにより、低コストで、給電線２１及び駆動制御線２２、２３、２４とＬＥＤ灯体２との半田付けを容易に且つ確実に行うことができる。また、略球形の拡散体４でＬＥＤ灯体２の周囲を被覆することにより、拡散光を放射する光球が宙に浮いているように見える照明具とすることができる。
【００２７】
尚、上記実施形態では、給電線２１の周囲に駆動制御線２２、２３、２４を撚って設ける構成としたが、給電線２１と駆動制御線２２、２３、２４は略隣接して全体として同方向に延びる構成であれば適宜であり、例えば駆動制御線２２、２３、２４を真っ直ぐに延ばして給電線２１と並設する構成としてもよい。また、給電線２１と駆動制御線２２、２３、２４で構成される導線は、全体として略直線状に延びるものの他、例えば全体として略螺旋状になって延びるものとすることも可能である。
【００２８】
また、上記実施形態では、駆動制御線の本数を３本にしたが、必要に応じて適宜数設けることが可能であり、例えばＬＥＤが一つの場合は１本等とすることが可能であり、又、ＬＥＤが複数の場合には、ＬＥＤの個数に応じた本数、或いは複数のＬＥＤに対して１本とすることが可能であり、又、各組が複数のＬＥＤで構成されるＬＥＤの複数組の場合には、各組に対応して１本或いは各組のＬＥＤの個数よりも少ない個数の駆動制御線を設けることが可能である。図４、図５は、Ｒ、Ｇ、Ｂがそれぞれ複数個のＬＥＤで構成され、複数組のＬＥＤを有する構成に於いて、各組に１本の駆動制御線を設ける例であり、図４は赤のＬＥＤ３３ｒ、３３１ｒ、緑のＬＥＤ３３ｇ、３３１ｇ、青のＬＥＤ３３ｂ、３３１ｂをそれぞれ直列に配置する例、図５は赤のＬＥＤ３３ｒ、３３２ｒ、緑のＬＥＤ３３ｇ、３３２ｇ、青のＬＥＤ３３ｂ、３３２ｂをそれぞれ並列に配置する例である。
【００２９】
また、上記実施形態では、給電線３１をピアノ線２１１を芯線とし、ピアノ線２１１の外周を銅メッキ層２１２で被覆する構成としたが、前記構成に代え、或いは前記構成と共に、駆動制御線２２、２３、２４の少なくとも一本について、ピアノ線を芯線とし、その外周に銅メッキ層を被覆する構成としてもよい。また、芯線はピアノ線２１１の他に、ベリリウム銅線若しくはリン青銅線等とすることが可能であり、又、芯線の外周に被覆するメッキ層は銅メッキ層２１２の他に、半田メッキ層等とすることが可能である。また、上記実施形態の導線２、拡散体４は上記吊下式照明具以外の適宜の器具に用いることが可能である。
【産業上の利用可能性】
【００３０】
本発明は、例えば装飾用や照明用の吊下式照明器具に利用することができる。
【図面の簡単な説明】
【００３１】
【図１】実施形態の吊下式照明具を示す構成説明図。
【図２】実施形態の吊下式照明具の回路構成を示す回路図。
【図３】実施形態に於ける導線の横断面図。
【図４】複数組のＬＥＤに対して各組に１本の駆動制御線を設ける第１例の回路図。
【図５】複数組のＬＥＤに対して各組に１本の駆動制御線を設ける第２例の回路図。
【符号の説明】
【００３２】
１…基体  １１ｒ、１１ｇ、１１ｂ…定電流回路  １２ｒ、１２ｇ、１２ｂ…スイッチ  １３…電源回路  ２…導線  ２１…給電線  ２１１…ピアノ線  ２１２…銅メッキ層  ２２、２３、２４…駆動制御線  ２２１、２３１、２４１…銅線  ２２２、２３２、２４２、２５…絶縁保護膜  ３…ＬＥＤ灯体  ３１…発光部  ３２…半田付け部  ３３ｒ、３３１ｒ、３３２ｒ、３３ｇ、３３１ｇ、３３２ｇ、３３ｂ、３３１ｂ、３３２ｂ…ＬＥＤ  ４…拡散体  ４１…透光性樹脂  ４２…ガラスビーズ
【図１】
0005518289.tif 000002
【図２】
0005518289.tif 000003
【図３】
0005518289.tif 000004
【図４】
0005518289.tif 000005
【図５】
0005518289.tif 000006